(57)【要約】      （修正有）【課題】多様なパチンコ台やスロットル台等の遊技台を規格に制限なく、遊技台専用のカートに収納し、搬送及び保管倉庫内での移送時の振動等によるパチンコ台やスロットル台等の遊技台の破損等を防止する。【解決手段】パチンコ台やスロットル台等の遊技台の専用カートであって、直方体状の枠組み２と、前記枠組み２の底面部に平行する一枚もしくは複数の仕切り用板３で分割された数段の棚を有し、前記枠組み２の底面部四隅に可動輪４を設けると共に、前記枠組み２の前面部には、棚毎に開閉可能な可動式柵５を、前記枠組み２の後面部及び前記枠組み２の左右両側面部には、棚毎に固定式柵６を設けた事を特徴とする遊技台専用カート１。【選択図】図１
0003119119.tif 000002
【実用新案登録請求の範囲】
【請求項１】
パチンコ台やスロットル台等の遊技台の専用カートであって、直方体状の枠組みと、前記枠組み底面部に平行する一枚もしくは複数の仕切り用板で分割された数段の棚を有し、前記枠組み底面部四隅に可動輪を設けると共に、前記枠組み前面部には、棚毎に開閉可能な可動式柵を、前記枠組み後面部及び前記枠組み左右両側面部には、棚毎に固定式柵を設けた事を特徴とする遊技台専用カート。
【考案の詳細な説明】
【技術分野】
【０００１】
本考案は、容易かつ安全に複数のパチンコ台やスロットル台等の遊技台の搬送及び保管を行うための遊技台専用カートに関するものである。
【背景技術】
【０００２】
従来の遊技台専用のカートや台車等は、遊技台積載部を遊技台の大きさ等の規格に合わせた固定式の爪で棚割をし、１つの棚に対し、その棚に合う１台のパチンコ台やスロットル台等の遊技台を収納していた。（例えば特許文献１参照）
【特許文献１】登録実用新案第３０９２２６８号公報
【考案の開示】
【考案が解決しようとする課題】
【０００３】
近年、パチンコ台やスロットル台等の遊技台は、電子機器の多用化や精密化により一台当たりの重量が非常に重くなっていると同時に、衝撃に対しては弱くなっている。そのため、輸送業者による搬送や移送時にも最新の注意を要する。
しかし、前記特許文献１に記載された従来の遊技台専用カートや台車は固定式の爪により棚割されているため、規格の合わないパチンコ台やスロットル台等の遊技台は無理な収納をすると破損等が起きるため収納可能なパチンコ台やスロットル台等の遊技台は限定される。
また、パチンコホール店での開店営業後の遊技台の入れ換えは定期的に行うにあたり、輸送業者によってその都度遊技台の搬入搬出が行われているが、パチンコ台やスロットル台等の遊技台は多様化が激しく、各パチンコ台やスロットル台等の遊技台の規格に合わせた多様なカートや台車等を多数用意する事は、経済的な負担や保管管理作業の人員負担が大きく、広範囲な保管用スペースも必要とする。
【課題を解決するための手段】
【０００４】
本考案は、上記の問題を解決するための、パチンコ台やスロットル台等の遊技台の専用カートであって、直方体状の枠組みと、前記枠組み底面部に平行する一枚もしくは複数の仕切り用板で分割された数段の棚を有し、前記枠組み底面部四隅に可動輪を設けると共に、前記枠組み前面部には、棚毎に開閉可能な可動式柵を、前記枠組み後面部及び前記枠組み左右両側面部には、棚毎に固定式柵を設けた事を特徴とする遊技台専用カートである。
【考案の効果】
【０００５】
本考案の遊技台専用カートは、仕切り用板を平らにする事により、遊技台の大きさや形に影響なく収納可能とし、結果、保有する遊技台専用のカート個数は最小限となり、経済的負担や保管管理のための人員・時間・スペースの負担を削減した。
また、枠組み底面部の四隅に可動輪を設ける事により、パチンコ台やスロットル台等の遊技台を収納した状態でも手押しによる搬送を迅速かつ容易なものとした。
さらに、枠組み前面部には段毎に開閉可能な柵を設け、積み込み及び積み卸し作業時には、柵を開ける事によりパチンコ台やスロットル台等遊技台の積み込み及び積み卸し作業を容易とし、搬送時には、柵を閉める事により枠組み左右両側面・後面の固定式柵と同様の形態となり、搬送による振動等によるパチンコ台やスロットル台等遊技台の破損や落下等を防止した。
【考案を実施するための最良の形態】
【０００６】
以下、図面１を参照しながら本考案の実施の形態となる一実施例により説明する。
本考案は、パチンコ台やスロットル台等の遊技台の専用カートであって、縦１０７センチ程度、横１７５センチ程度、高さ１９２センチ程度の直方体状の枠組み２の底面部に平行する、複数の仕切り用板３で分割された数段の棚を有し、前記枠組み２底面部四隅に可動輪４を設けると共に、前記枠組み２前面部には、棚毎に開閉可能な可動式柵５を形成し、前記枠組みの後面部と前記枠組み２左側面部及び右側面部には、棚毎に固定式柵６を形成している。
【０００７】
遊技台専用カート１を構成する主な部品である枠組み２は、遊技台専用カート１の軽量化と移動保管時に受けうる衝撃に対して必要充分な強度を併せ持つ素材として、アルミ合金等の金属製、木製またはプラスチック製樹脂等を用いる事が出来、形状は直径４センチ程度の円形の棒状であれば良い。
【０００８】
仕切り用板３は、面積を縦９９センチ程度、横１６０センチ程度、厚さを４センチ程度とし、素材は、積載するパチンコ台やスロットル台等の遊技台の重量に耐えられる素材とする。
積載重量が４０キログラム程度の一般的なスロットル台を、前記面積に対して最大積載数の６台を積載した場合、積載重量は合計２４０キログラム程度となるので、それに耐えられる仕切り用板３の素材として、アルミ合金等の金属製、木製またはプラスチック製樹脂等があげられる。
【０００９】
仕切り用板３の上段と下段の間隔は、大部分のパチンコ台やスロットル台等の遊技台が縦置きで一台分が余裕を持って収納出来る高さである、８６センチ程度とする事により、パチンコ台やスロットル台等の遊技台の積み込み及び積み卸し作業を迅速に行えるようにする。
【００１０】
仕切り用板３は、平面状の板を用いる事により、パチンコ台やスロットル台等の遊技台の積み込み及び積み卸し作業の利便性を図ると共に、パチンコ台やスロットル台等の遊技台の大きさや厚み等に制限の無い多様な収納を可能とし、パチンコ台やスロットル台等の遊技台等の規格に合わせた遊技台専用のカートや台車等を必要としないため、遊技台専用カート１の保有数を最小限に抑え、保管管理のスペースや労働力及び経済的負担を軽減する。
また、起伏を無くす事により、安定性を高め、遊技台専用カート１同士の接触による倒壊等から、収納するパチンコ台やスロットル台等の遊技台を防止する。
【００１１】
可動輪４には、積載物に耐え得る強度と、安定性が必要とされるため、枠組み２の底面外部四隅に直径１５センチ程度の可動輪を各一輪づつ合計四輪を設け、一輪にかかる重量を分配し、遊技台専用カート１に多数のパチンコ台やスロットル台等の遊技台を収納時でも、手押しによる安定した搬送及び保管倉庫内での移送を可能とし、素材は例としてはゴム及びプラスチック製樹脂等を用いる事により、搬送及び保管倉庫内での移送時の振動等を吸収し、収納するパチンコ台やスロットル台等の遊技台の破損等を防止する。
【００１２】
稼働式柵５は、遊技台専用カート枠組みの前面部の、仕切り用板３より４０センチ程度の高さの位置に設ける。
【００１３】
稼働式柵５は、直径４センチ程度長さ１７０センチ程度の円柱両端に径１０センチ程度厚さ０．５センチ程度の扇状留め具を設け、前記留め具直角部を遊技台専用カート本体１にボルト等を用いて接続固定し、前記ボルト等を中心点として弧を描くように前記円柱を上下させる事により、稼働式柵５の開閉を可能とする。
また、稼働式柵５を閉める際は、留め具の径部分を、枠組み２と各仕切り用板３の間に差し込み固定を可能とする。（図示せず）
【００１４】
パチンコ台やスロットル台等の遊技台の積み込み及び積み卸し作業時には、稼働式柵５を開ける事により、収納口である前面を広く解放し、作業の利便性を図る。
【００１５】
また、パチンコ台やスロットル台等の遊技台の収納時には、稼働式柵５を閉める事により、枠組み２の後面部及び枠組み２左右両側面部に設けられた固定式柵６と共に、四方を固め、搬送及び保管倉庫内での移送時の振動等による破損から、収納するパチンコ台やスロットル台等の遊技台を防止する。
【００１６】
固定式柵６は、収納するパチンコ台やスロットル台等への搬送及び保管倉庫内での移送時の振動等の影響や、保管倉庫内での倒壊及び荷崩れ等の防止を目的とし、枠組み２後面部及び枠組み２左右両側面部の各仕切り用板３より４０センチ程度の高さの位置に、４センチ程度から１５センチ程度の幅の物を設ける。  
【図面の簡単な説明】
【００１７】
【図１】本考案の遊技台専用カートの一実施例を示す斜視図である。
【図２】遊技台専用カートの右側面図である。
【符号の説明】
【００１８】
１  遊技台専用カート
２  枠組み
３  仕切り用板
４  可動輪
５  可動式柵
６  固定式柵
【図１】
0003119119.tif 000003
【図２】
0003119119.tif 000004